(57)【要約】【課題】  この発明は、調査対象の情報を確実に収集するための情報収集システムに関する。【解決手段】本発明に係る情報収集システムは、記憶部２２を備えるサーバ２０と、該サーバ２０とネットワークを介して接続され、該サーバ２０に対して投稿処理を要求する少なくとも１つの携帯移動端末１０とを具備する情報収集システムであって、前記携帯移動端末１０が取得した少なくとも画像データを含んだ投稿情報を前記サーバ１０に送出すると共に、前記投稿処理を該サーバ２０に対して要求し、前記サーバ２０は、前記携帯移動端末１０から受けた要求に対し前記投稿情報を前記記憶部２２に記憶すると共に、前記投稿情報は、戸建住宅の庭で観察された動物に関するものである。【選択図】図１
2009075717.tif 000002
【特許請求の範囲】
【請求項１】
記憶部を備えるサーバと、該サーバとネットワークを介して接続され、該サーバに対して投稿処理を要求する少なくとも１つの携帯移動端末とを具備する情報収集システムであって、
前記携帯移動端末が取得した少なくとも画像データを含んだ投稿情報を前記サーバに送出すると共に、前記投稿処理を該サーバに対して要求し、
前記サーバは、前記携帯移動端末から受けた要求に対し前記投稿情報を前記記憶部に記憶すると共に、
前記投稿情報は、戸建住宅の庭で観察された動物に関するものであることを特徴とする情報収集システム。
【請求項２】
前記サーバは、前記投稿情報と植物データとを関連付けて記憶していることを特徴とする請求項１記載の情報収集システム。
【発明の詳細な説明】
【技術分野】
【０００１】
この発明は、調査対象の情報を確実に収集するための情報収集システムに関する。
【背景技術】
【０００２】
従来、動物等の生態は、これまでに調査されてきており、図鑑等にも活動時期や活動地域等が記載されている。しかし、近年、都心には高層ビル群が建ち並び、その周辺都市もベットタウンとして住宅の開発が行われ、動物が住むための草花や木々が減少し、前述のようにこれまで調査されてきた情報と、現状とが相違している点が多くあった。そのため、以下に示すような情報収集システムが考案されている。
【０００３】
この、情報収集システムは、情報収集携帯端末により現場の動植物等の調査対象物に関するデータを収集・送信し、中央管理装置のデータベースに登録する情報収集システムであって、前記情報収集携帯端末は全地球位置把握システム（ＧＰＳ）装置などによる位置情報取得手段と、通信機などによる通信手段とを備え、前記中央管理装置は調査対象物の同定手段と、調査対象物の位置情報入力手段と、同定された調査対象物の関連情報提供手段とを備え、前記位置情報取得手段による位置情報信号と、前記通信手段による通信信号とを中央管理装置に出力し、通信信号をもとにして同定手段で調査対象物を同定し、同定された調査対象物を位置情報入力手段に入力された位置情報とともにデータベースに登録するとともに、関連情報提供手段に記憶されている関連情報とともに情報収集携帯端末に出力している（例えば、特許文献１）。
【０００４】
【特許文献１】特開２００２−７３６８９号公報
【発明の開示】
【発明が解決しようとする課題】
【０００５】
また、都心やその周辺都市の開発で木々や草花が失われる一方で、住宅メーカーでは、地域の気候風土に適した樹を戸建住宅の庭に植えるという庭造りを進めている。すなわち、全国を風土・気候にあわせて例えば５つのブロックに分類して、それぞれのブロックにおいて地域別に代表的な在来樹種を植えることで、住まいの庭が地域の自然と調和し、顧客と共に地域の生態系を守ることができるのである。実際に、このような庭造りの成果として、顧客から、「庭には鳥がよく来る。」等の意見が抽出されている。しかし、前述のような庭造りの成果が、実際の生態系にどの程度影響を与えているかという情報を収集することは、従来の情報収集システムでは困難であった。
【０００６】
この発明は上記のような種々の課題を解決することを目的としてなされたものであって、戸建住宅の庭に植えられた草花や木々で観測される動物の情報を積極的に収集することのでき情報収集システムに関する。
【課題を解決するための手段】
【０００７】
上記目的を達成するために、請求項１記載の情報収集システムは、記憶部を備えるサーバと、該サーバとネットワークを介して接続され、該サーバに対して投稿処理を要求する少なくとも１つの携帯移動端末とを具備する情報収集システムであって、前記携帯移動端末が取得した少なくとも画像データを含んだ投稿情報を前記サーバに送出すると共に、前記投稿処理を該サーバに対して要求し、前記サーバは、前記携帯移動端末から受けた要求に対し前記投稿情報を前記記憶部に記憶すると共に、前記投稿情報は、戸建住宅の庭で観察された動物に関するものであることを特徴としている。
【０００８】
請求項２記載の情報収集システムは、前記サーバは、前記投稿情報と植物データとを関連付けて記憶していることを特徴としている。
【発明の効果】
【０００９】
請求項１記載の情報収集システムによれば、携帯移動端末が取得し、サーバに送出される投稿情報は画像情報を含んでおり、さらに、該投稿データは戸建住宅の庭で観察された動物に関するものである。そのため、従来の戸建住宅の庭、及び、既述のように戸建住宅の庭に積極的に、その地域に合わせた日本の在来樹種を植えるという庭造りの成果として、これらの庭にどの程度動物が集まっているのかという情報を確実に収集することができる。
【００１０】
請求項２記載の情報収集システムによれば、サーバは、投稿情報と植物データとを関連付けて記憶している。すなわち、投稿された動物が生息、又は好む等、特定の動物と対応する植物のデータと関連付けられているので、例えば使用者が他人が投稿した投稿情報を閲覧する際に、動物の情報だけでなく、これに対応する植物の情報も確認することができ、使用者の知識を大きく広げることができるという利点がある。
【発明を実施するための最良の形態】
【００１１】
この発明における情報収集システムの最良の実施形態について、以下に説明する。本発明に係る情報収集システムは、図１に示すように、記憶部２２を備えるサーバ２０と、該サーバ２０とネットワークを介して接続され、該サーバ２０に対して投稿処理を要求する少なくとも１つの携帯移動端末１０とを具備する情報収集システムであって、前記携帯移動端末１０が取得した少なくとも画像データを含んだ投稿情報を前記サーバ１０に送出すると共に、前記投稿処理を該サーバ２０に対して要求し、前記サーバ２０は、前記携帯移動端末１０から受けた要求に対し前記投稿情報を前記記憶部２２に記憶すると共に、前記投稿情報は、戸建住宅の庭で観察された動物に関するものである。
【００１２】
前記サーバ２０は、図１に示すように、ネットワークを介してデータの送受信を行う送受信部２１と、携帯移動端末１０から投稿された投稿情報を記憶する記憶部２２とを備えている。そして、前記携帯移動端末１０は、無線方式でサーバ２０と通信可能なモバイル型ノートパソコンや携帯電話、携帯情報端末（ＰＤＡ：Personal Digital Assistant）等が好適に使用され、図１に示すように、サーバ２０等とネットワークを介してデータの送受信を行う送受信部１１と、使用者からの投稿情報を受付けるキーボード、マウス、若しくは十字キー等の入力部１２と、投稿情報としての画像データを受付けるカメラ部１３と、前記入力部１２や前記カメラ部１３で受付けた投稿情報等を表示するディスプレイ等の表示部１４と、ＣＰＵ等で構成される演算処理部１５と、データ等を記憶する記憶部１６と、音声データを出力するための音声出力部１７とを備えている。また、サーバ２０や携帯移動端末１０は図１に示すような構成に限定されるものではなく、さらに、他の周知の構成を付与することも可能である。
【００１３】
以下、投稿収集システムの投稿処理について具体的に説明する。図１は携帯移動端末１０における処理の流れを示す図であり、図２はサーバ２０の処理の流れを示す図である。
【００１４】
図４は、携帯移動端末１０の表示部１４に表示されるメイン画面を示す図である。
まず、携帯移動端末１０は、使用者による入力部１２を介した画像投稿の要求があるか否かを判断する（ステップＳ１０１）。具体的には、図４に示す下線が引かれ選択可能な「投稿する」が使用者によって選択されると、図５に示すように、メールソフトが起動し、例えば鳥等の画像データを添付した後に、送信ボタン３１が選択されると、携帯移動端末１０は、画像投稿の要求があったと判断する。また、画像データは、予め使用者によって携帯移動端末１０のカメラ部１３で撮影された画像データを記憶部１６に保存されたもの等が使用される。そして、前記画像データは、戸建住宅の庭で観察される動物に関するものが好適に用いられるが、後述するように、屋内（庭）と、外とで撮影されたものを選択して投稿することができる。また、メールソフトが起動する際には送信先のアドレス３２や、件名３３等は記載されており、使用者が所望の画像データを記憶部１６から選択しメールに該画像データを添付ファイル３４として添付して、送信ボタン３１を選択すればよい。
【００１５】
ステップＳ１０１において、携帯移動端末１０が画像投稿の要求がないと判断した場合にはそのまま終了する。一方、画像投稿の要求があると判断した場合、サーバ２０に対して画像投稿を実行するように、携帯移動端末１０は送受信部１１を介して画像投稿の要求をメールで送出する（ステップＳ１０３）。この際には、前述のように使用者によって記憶部１６に保存された画像データのうち所望の画像データが添付され、該画像データも同時にサーバ２０に送出される。
【００１６】
そして、サーバ２０はステップＳ２０１において、送受信部２１を介して携帯移動端末１０が送出した画像投稿の要求を受信したか否かを判断する。画像投稿の要求を受信していないと判断した場合にはそのまま終了する。一方、画像投稿の要求を受信したと判断した場合、サーバ２０は携帯移動端末１０から送出されたメールのメールアドレスに基づいて、使用者が会員登録済みか否かを判断する（ステップＳ２０３）。サーバ２０は、携帯移動端末１０のメールアドレスが登録されておらず、会員登録済みでないと判断した場合には、送受信部２１を介して会員登録情報入力フォーム３６のＵＲＬが添付されたメールを携帯移動端末１０に送出する（ステップＳ２０５）。また、サーバ２０は携帯移動端末１０のメールアドレスがすでに登録されており、会員登録済みと判断した場合には、送受信部２１を介して詳細情報入力フォーム３９のＵＲＬが添付されたメールを携帯移動端末１０に送出する（ステップＳ２０７）。
【００１７】
以下、サーバ２０がステップＳ２０３において、使用者が会員登録されていないと判断した場合の処理について説明する。
【００１８】
この場合には、携帯移動端末１０は、ステップＳ１０３の画像投稿の要求に対して、サーバ２０からネットワークを介して送出されメールに添付されたＵＲＬを送受信部において受信する（ステップＳ１０５）。
【００１９】
続いて、携帯移動端末１０は、ＵＲＬに記載された場所に存在する情報の情報取得の要求があったか否かを判断する（ステップＳ１０７）。具体的には、携帯移動端末１０が受信しＵＲＬが添付されたメールを使用者が開封することで、例えば図６に示すような内容が表示部１４に表示され、そして、メールに記載された選択可能なＵＲＬ３５を使用者が選択することによって、携帯移動端末１０は情報取得の要求があったと判断する。
【００２０】
ステップＳ１０７において、携帯移動端末１０が情報取得の要求がないと判断した場合にはそのまま終了する。一方、情報取得の要求があると判断した場合、サーバ２０に対し会員登録情報入力フォーム３６を送出するように、携帯移動端末１０は送受信部１１を介して情報取得の要求を送出する（ステップＳ１０９）。
【００２１】
この際、サーバ２０は、情報取得の要求の受信があったか否かに基づいて、会員登録情報入力フォーム３６の要求があったか否かを判断する（ステップＳ２０９）。会員登録情報入力フォーム３６の要求がないと判断した場合にはそのまま終了する。一方、会員登録情報入力フォーム３６の要求があったと判断した場合には、サーバ２０は送受信部２１を介して会員登録情報入力フォーム３６を携帯移動端末１０に送出する（ステップＳ２１１）。
【００２２】
携帯移動端末１０は、情報取得の要求（ステップＳ１０９）に対してサーバ２０からネットワークを介して送出（ステップＳ２１１）された情報を受信する（ステップＳ１１１）。
【００２３】
続いて、携帯移動端末１０は、受信した情報としての会員登録情報入力フォーム３６を表示部１４に表示する（ステップＳ１１３）。図７は、表示部１４に表示される会員登録情報入力フォーム３６の画面の一例を示す図である。図７に示すように、携帯移動端末１０が表示した情報としての会員登録情報入力フォーム３６には、「ニックネーム」、「パスワード」や「メールアドレス」等を記入するための記入欄３７が設けられると共に、「性別」がラジオボタン形式で選択でき、「年代」もラジオボタン形式で、「１０代以下」、「２０代」、「３０代」、「４０代以上」が選択可能となっている。また、会員登録に必要な情報は上述のものに限定されず、他に住所等も加えてもよく適宜変更が可能である。
【００２４】
このようにして会員登録情報が記入された会員登録情報入力フォームに対して、携帯移動端末１０は、その入力情報をサーバ２０へ送出の要求が有るか否かを判断する（ステップＳ１１５）。具体的には、会員登録情報が記入された会員登録情報入力フォーム３６の送信ボタン３８を使用者が選択することによって、携帯移動端末１０は入力情報の送出の要求があったと判断する。
【００２５】
ステップＳ１１５において、携帯移動端末１０が入力情報の送出の要求がないと判断した場合にはそのまま終了する。一方、入力情報の送出の要求があったと判断した場合、サーバ２０に対して携帯移動端末１０は送受信部１１を介して入力情報を送出する（ステップＳ１１７）。
【００２６】
この際、サーバ２０は、送受信部２１を介して携帯移動端末１０が送出した入力情報を受信したか否かを判断する（ステップＳ２１３）。入力情報を受信していないと判断した場合にはそのまま終了する。一方、入力情報を受信したと判断した場合、サーバ２０は送受信部２１を介して詳細情報入力フォーム３９を携帯移動端末１０へ送出する（ステップＳ２１７）。
【００２７】
ここで、携帯移動端末１０は、入力情報を送出（ステップＳ１１７）した後、完了表示４０を受信したか否かを判断する（ステップＳ１１９）。具体的には、サーバ２０から送出された、例えば図１０に示すような、完了表示４０を携帯移動端末１０が受信し、使用者によって終了ボタン４１が選択された場合には、携帯移動端末１０は完了表示を受信したと判断する。
【００２８】
ステップＳ１１９において、携帯移動端末１０が完了表示４０を受信したと判断した場合にはそのまま終了する。一方、完了表示４０を受信しないと判断した場合、サーバ２０からネットワークを介して送出（ステップＳ２１７）された情報を受信する（ステップＳ１１１）。
【００２９】
続いて、携帯移動端末１０は、受信した情報としての詳細情報入力フォーム３９を表示部１４に表示する（ステップＳ１１３）。図９は、表示部１４に表示される詳細情報入力フォーム３９の画面の一例を示す図である。図９に示すように、携帯移動端末１０が表示した情報としての詳細情報入力フォーム３９には、ステップＳ１０３でサーバ２０に送出した画像データが表示されると共に、「鳥の種類」、「地域」、「撮った季節」、「コメント」が使用者によって入力部１２から入力可能な記入欄４２が設けられている。また、「撮った場所」はラジオボタン形式で、「外」、「屋内（庭）」のうち何れかを選択可能となっている。
【００３０】
このようにして詳細情報が記入された詳細情報入力フォーム３９に対して、携帯移動端末１０は、その入力情報をサーバ２０へ送出の要求が有るか否かを判断する（ステップＳ１１５）。具体的には、詳細情報が記入された詳細情報入力フォーム３９の送信ボタン４３を使用者が選択することによって、携帯移動端末１０は入力情報の送出の要求があったと判断する。
【００３１】
ステップＳ１１５において、携帯移動端末１０が入力情報の送出の要求がないと判断した場合にはそのまま終了する。一方、入力情報の送出の要求があったと判断した場合、サーバ２０に対して携帯移動端末１０は送受信部１１を介して入力情報を送出する（ステップＳ１１７）。
【００３２】
この際、サーバ２０は、送受信部２１を介して携帯移動端末１０が送出した入力情報を受信したか否かを判断する（ステップＳ２１９）。入力情報を受信していないと判断した場合にはそのまま終了する。一方、入力情報を受信したと判断した場合、サーバ２０はこれらの入力情報を記憶部２２に記憶する（ステップＳ２２１）と共に、送受信部２１を介して完了表示４０を携帯移動端末１０へ送出する（ステップＳ２２３）。
【００３３】
続いて、携帯移動端末１０は、サーバ２０がステップＳ２２３で送出した完了表示４０を受信したか否かを既述のように判断し、該携帯移動端末１０が、完了表示４０を受信したと判断した場合にはそのまま終了し、投稿処理が終了する。
【００３４】
以上、サーバ２０がステップＳ２０３において、使用者が会員登録されていないと判断した場合の処理について説明したが、続けて、サーバ２０がステップＳ２０３において、使用者が会員登録済みと判断した場合について説明する。
【００３５】
この場合には、携帯移動端末１０は、ステップＳ１０３の画像投稿の要求に対して、既述のステップＳ２０７においてサーバ２０からネットワークを介して送出されメールに添付されたＵＲＬを送受信部１１において受信する（ステップＳ１０５）。
【００３６】
続いて、携帯移動端末１０は、ＵＲＬに記載された場所に存在する情報の情報取得の要求があったか否かを判断する（ステップＳ１０７）。具体的には、携帯移動端末１０が受信しＵＲＬが添付されたメールを使用者が開封することで、例えば図８に示すような内容が表示部１４に表示され、そして、メールに記載された選択可能なＵＲＬ４４を使用者が選択することによって、携帯移動端末１０は情報取得の要求があったと判断する。
【００３７】
ステップＳ１０７において、携帯移動端末１０が情報取得の要求がないと判断した場合にはそのまま終了する。一方、情報取得の要求があると判断した場合、サーバ２０に対し詳細情報入力フォーム３９を送出するように、携帯移動端末１０は送受信部１１を介して情報取得の要求を送出する（ステップＳ１０９）
【００３８】
続けて、サーバ２０は、情報取得の要求の受信があったか否かに基づいて、詳細情報入力フォーム３９の要求があったか否かを判断する（ステップＳ２１５）。詳細情報入力フォーム３９の要求がないと判断した場合にはそのまま終了する。一方、詳細録情報入力フォーム３９の要求があったと判断した場合には、サーバ２０は送受信部２１を介して詳細情報入力フォーム３９を携帯移動端末１０に送出する（ステップＳ２１７）。そして、その後の処理は、既述の通り処理が行われ投稿処理が完了する。
【００３９】
以上のように投稿されサーバ２０の記憶部２２に記憶された投稿情報は、その後、該サーバ２０の管理人等がこれらの投稿情報を吟味し、該管理人等の承認を得られた場合には、一般公開される。すなわち、使用者から投稿された投稿情報の中には、公開するには不適切な画像や表現等が含まれた悪戯の投稿や、投稿情報の内容に不備があるものが、そのまま公開されないようにするためである。その際には、管理人等は、該管理人等のみがアクセス可能な管理者画面からサーバ２０にログインし、悪戯の投稿等は削除され、また、「鳥の種類」の記入欄が記入されていなかったり、記載に誤りがあった場合等、不備のある投稿は管理人等が修正を行った後、承認され一般公開される。
【００４０】
これにより、一般公開された投稿情報は、図４に示すメイン画面において使用者が選択可能な「ＮＥＷ  最近投稿された野鳥」を使用者が選択することによって携帯移動端末１０はサーバ２０に対してこれらの情報を要求し、この要求に対して、最近投稿された例えば図１１に示すような、野鳥の一覧のデータがサーバ２０から送出され、それを携帯移動端が受信して表示部１４に表示する。図１１に示す最近投稿された鳥は、「スズメ」、「ウミネコ」、「アカハラ」等の名前が選択可能となっており、これらの詳細情報と関連付けられているので、例えば「アカハラ」を選択した場合には、これらを前述と同様にして選択することで、携帯移動端末１０の表示部１４には図１２に示すような詳細情報が表示される。また、既述のように不備のある箇所は管理人等によって修正されると共に、例えば投稿された特定の鳥に対応する植物データを関連付けてサーバ２０に記憶させておくことが好ましい。これにより、投稿した本人、若しく他人が、一般公開されたこれらの投稿情報を閲覧した際には、鳥の情報だけでなく、同時にこれに関連した樹等の植物の情報も容易に取得することができるため使用者の知識を大きく広げることができる。
【００４１】
投稿情報は、既述のものに限定されるものではなく、例えば戸建住宅の庭、若しくはその外で観察される植物の花、葉を当該投稿情報とすることもできる。そして、例えば、桜の花の画像データ、開花時期、地域等を投稿情報として携帯移動端末１０からサーバ２０に送出され記憶部２２に記憶された場合には、これらを地図データと共に当該記憶部２２に記憶することで、桜の開花情報を容易に得ることができる。また、全国各地の使用者に、雨のＰＨデータを観測してもらい、当該ＰＨデータが、季節や地域等と共に携帯移動端末１０からサーバ２０に送出された場合には、これらを基に、どの地域で雨の酸性化か進んでいるかということを容易に確認することができる。
【００４２】
また、会員登録済みの使用者は、図４に示すメイン画面の「ログイン」を選択することで、携帯移動端末１０には、図１３に示すようなログイン画面が表示される。そして、予め設定されたニックネーム、パスワードやメールアドレス等の登録情報４５が入力されログインボタン４６が選択されることで、これらの会員情報がサーバ２０に送信されると共に、該会員情報に基づき、当該使用者が会員か否かを判断し、会員登録済みと判断した場合には、ログインが完了する。使用者がログインした場合には、図１４に示すように、各使用者ごとに割り当てられたマイページに使用者が投稿した投稿情報が、管理人等の承認を得て公開されたか否かに関わらず保存され、当該使用者が確認できるようになっている。
【００４３】
そして、使用者によって投稿されサーバ２０の記憶部２２に記憶された投稿情報は、「屋内（庭）」で撮ったものが、さらに地域や季節等に細分化され、地図データと共に分析、統計化されサーバ２０の記憶部２２に記憶されていることが好ましい。これにより、戸建住宅の庭に植えられた植物にどの程度動物が集まっているのかというデータを得ることができ、戸建住宅の庭に積極的に植物を植えることで、開発が進んだ都心や、周辺都市に再び緑を取戻すための取組みの成果をより明確に確認することができる。
【００４４】
また、以上の処理は一例であり適宜変更することができ、また、携帯移動端末１０の表示部１４に表示され、使用者が選択可能な項目は、既述のもの、若しくは、図に示したものに限定されず、目的に応じて周知な項目を適宜追加することができ、選択方法もプルダウン方式、ラジオボタン方式を始め周知の方法を使用することができる。また、前述のようにして一般公開される投稿情報が鳥等の動物の鳴声データと関連付けられていており、使用者によって選択され携帯移動端末１０がサーバ２０に対して当該音声データを要求した場合には、サーバ２０から送出された鳴声データを携帯移動端末の音声出力部１７で出力できるようにしておいてもよい。
【産業上の利用可能性】
【００４５】
本発明に係る情報収集システムは、戸建住宅の庭で観察される動物だけでなく、植物のデータもサーバ２０に投稿して収集することが可能である。
【図面の簡単な説明】
【００４６】
【図１】実施形態に係る情報投稿システムの説明図
【図２】携帯移動端末における処理の流れを示す図
【図３】サーバにおける処理の流れを示す図
【図４】実施形態に係るメイン画面を示す図
【図５】画像投稿の際に起動されたメールの画面を示す図
【図６】会員登録情報入力フォームのＵＲＬが添付されたメールの画面を示す図
【図７】実施形態に係る会員登録情報入力フォームの画面を示す図
【図８】詳細情報入力フォームのＵＲＬが添付されたメールの画面を示す図
【図９】実施形態に係る詳細情報入力フォームの画面を示す図
【図１０】実施形態に係る投稿完了表示の画面を示す図
【図１１】実施形態に係る最近投稿された鳥の一覧の画面を示す図
【図１２】鳥の詳細情報の画面を示す図
【図１３】実施形態に係るログインの画面を示す図
【図１４】実施形態に係るマイページの画面を示す図
【符号の説明】
【００４７】
１０        携帯移動端末
２０        サーバ
２２        記憶部
【図１】
2009075717.tif 000003
【図２】
2009075717.tif 000004
【図３】
2009075717.tif 000005
【図４】
2009075717.tif 000006
【図５】
2009075717.tif 000007
【図６】
2009075717.tif 000008
【図７】
2009075717.tif 000009
【図８】
2009075717.tif 000010
【図９】
2009075717.tif 000011
【図１０】
2009075717.tif 000012
【図１１】
2009075717.tif 000013
【図１２】
2009075717.tif 000014
【図１３】
2009075717.tif 000015
【図１４】
2009075717.tif 000016